(57)【要約】ドライヤーは、本体（１）を備える。本体（１）の内部には、気流通路が形成されている。前記気流通路は空気吸込口（１１）と空気吹出口（１２）とを本体（１）に形成している。また、ドライヤーは、気流通路中に設置され、外部の空気を空気吸込口（１１）を通じて取り込み、且つ、前記取り込んだ空気を空気吹出口（１２）を通じて排出するのに用いられる電動ファン２と；空気吹出口１２側に設置され、回転することで、電動ファン（２）の回転により形成される気流の方向を変化させる回転可能部材（３）とを備える。回転可能部材（３）によって、ドライヤーの気流方向を変化させ、以って気流またはイオン気流の不均一、放射面が広くない問題を改善できる。【選択図】図１
2018509250.tif 000002
【特許請求の範囲】
【請求項１】
本体（１）を備え、前記本体（１）の内部に気流通路を形成し、前記気流通路は空気吸込口（１１）と空気吹出口（１２）とを前記本体（１）に形成しているドライヤーにおいて；
前記ドライヤーはさらに、前記気流通路中に設けられ、外部の空気を前記空気吸込口（１１）を通じて取り込み、且つ、前記取り込んだ空気を前記空気吹出口（１２）を通じて排出するのに用いられる電動ファン（２）と、前記空気吹出口（１２）側に設けられ、回転することで、前記電動ファン（２）の回転によって形成される気流の方向を変化させる回転可能部材（３）とを備えることを特徴とするドライヤー。
【請求項２】
さらに、前記気流通路中に設けられている固定フレーム（４）を備え；前記回転可能部材（３）は、前記固定フレーム（４）に設けられている軸心（３１）と、回転可能に前記軸心（３１）に被装されている回転可能中心部（３２）と、前記回転可能中心部（３２）と同軸に設けられている外環（３３）と、前記回転可能中心部（３２）及び前記外環（３３）を連結するガイド羽根（３４）とを備えることを特徴とする請求項１に記載のドライヤー。
【請求項３】
前記回転可能中心部（３２）と前記軸心（３１）の間に軸受（３５）が設けられ；前記軸受（３５）の外周は前記回転可能中心部（３２）と連結して固定されており、前記軸受（３５）の内周は前記軸心（３１）と連結して固定されていることを特徴とする請求項２に記載のドライヤー。
【請求項４】
さらに、前記気流通路中に設けられ、前記回転可能部材（３）と前記電動ファン（２）の間に位置し、前記電動ファン（２）により前記気流通路中に取り込んだ空気を加熱するのに用いられる発熱部材を備えることを特徴とする請求項２又は３記載のドライヤー。
【請求項５】
さらに、前記気流通路中に設けられたイオン発生器（５）を備え；前記イオン発生器（５）は、前記回転可能部材（３）へイオンを発射する電離電極（５１）を備える；前記固定フレーム（４）、前記軸受（３５）及び前記回転可能部材（３）はいずれも導電部材であり；前記軸心（３１）及び／又は前記軸受（３５）は、一つの導電電極と連結しており；前記回転可能部材（３）及び／又は固定フレーム（４）の極性は、前記イオン発生器（５）の前記電離電極（５１）の極性と相反し、また、前記回転可能部材（３）及び／又は前記固定フレーム（４）の電位は前記イオン発生器（５）の前記電離電極（５１）の電位より低いことを特徴とする請求項４記載のドライヤー。
【請求項６】
さらに、前記気流通路中に設けられているイオン発生器（５）を備え；前記イオン発生器（５）は、前記回転可能部材（３）に設けられている電離電極（５１）を備えることを特徴とする請求項４記載のドライヤー。
【請求項７】
前記電離電極（５１）は、前記ガイド羽根（３４）、前記外環（３３）又は前記回転可能中心部（３２）に設けられていることを特徴とする請求項６記載のドライヤー。
【請求項８】
更に、前記気流通路中に設けられ、前記回転可能部材（３）をロックするためのロックキー機構（６）を備えることを特徴とする請求項２又は３記載のドライヤー。
【請求項９】
前記ロックキー機構（６）は、前記外環（３３）の外壁に設けられている摩擦部材（６２）と、移動可能に前記摩擦部材（６２）と当接することで前記回転可能部材（３）をロックするロックキー（６１）とを備えることを特徴とする請求項８記載のドライヤー。
【請求項１０】
前記ロックキー機構（６）は、前記外環（３３）の外壁に設けられている磁性部材（６３）と、移動可能に前記磁性部材（６３）に吸着することで前記回転可能部材（３）をロックするロックキー（６１）とを備えることを特徴とする請求項８記載のドライヤー。
【請求項１１】
さらに、前記回転可能部材（３）はさらに、前記ガイド羽根（３４）の縁に設けられ、当該ガイド羽根（３４）の回転面の接線方向に延伸するガイド片（３４１）を備えることを特徴とする請求項２又は３記載のドライヤー。
【請求項１２】
前記ガイド片（３４１）はシリカゲル部材であることを特徴とする請求項１１記載のドライヤー。
【発明の詳細な説明】
【技術分野】
【０００１】
本実用新案はヘアケア装置の分野に係るものであり、特にドライヤーに関するものである。
【背景技術】
【０００２】
従来、市場で販売されている一部のドライヤーは内部にイオン発生器を備えており、ブローすることで髪を乾燥させ、又は髪型を整えられるだけでなく、イオンを含む風を吹き付けることで、ヘアケアを行うこともできる。出願番号第２０１２８００３６５９６．Ｘに公開されているドライヤーは、ハウジングと、ハウジング内に配置されているファン及びヒータと、ハウジング内に配置され、且つファンの上流に位置するイオン発生器と、ファンの上流に設けられた吸気ろ過ユニットとを備る。
【０００３】
しかしながら、イオン発生器を有する従来のドライヤーによってもたらされる気流またはイオン気流は均一ではなく、放射面も広くない。
【発明の概要】
【発明が解決しようとする課題】
【０００４】
本実用新案の目的は、従来のイオン発生器を有するドライヤーにより提供される気流またはイオン気流が不均一、放射面も広くないという問題を解決するようなドライヤーを提供することである。
【課題を解決するための手段】
【０００５】
本実用新案はドライヤーを提供するものである。当該ドライヤーは本体を備え、前記本体の内部に気流通路を形成し、前記気流通路は空気吸込口と空気吹出口とを前記本体に形成している；
前記ドライヤーはさらに、前記気流通路中に設けられ、外部の空気を前記空気吸込口を通じて取り込み、且つ、前記取り込んだ空気を前記空気吹出口を通じて排出するのに用いられる電動ファンと、前記空気吹出口側に設けられ、回転することで、前記電動ファンの回転によって形成される気流の方向を変化させる回転可能部材とを備える。
【０００６】
本実用新案の上記ドライヤーにおいて、当該ドライヤーはさらに、前記気流通路中に設けられている固定フレームを備え；前記回転可能部材は、前記固定フレーム上に設けられている軸心と、回転可能に前記軸心に被装されている回転可能中心部と、前記回転可能中心部と同軸に設けられている外環と、前記回転可能中心部及び前記外環を連結するガイド羽根とを備える。
【０００７】
本実用新案の上記ドライヤーにおいて、前記回転可能中心部と前記軸心の間に軸受が設けられ；前記軸受の外周は前記回転可能中心部と連結し固定されており、前記軸受の内周は前記軸心と連結し固定されている。
【０００８】
本実用新案の上記ドライヤーにおいて、当該ドライヤーはさらに、前記気流通路中に設けられ、前記回転可能部材と前記電動ファンの間に位置し、前記電動ファンにより前記気流通路中に取り込んだ空気を加熱するのに用いられる発熱部材を備える。
【０００９】
本実用新案の上記ドライヤーにおいて、当該ドライヤーはさらに、前記気流通路中に設けられたイオン発生器を備え；前記イオン発生器は、前記回転可能部材へイオンを発射する電離電極を備える；前記固定フレーム、前記軸受及び前記回転可能部材はいずれも導電部材であり；
前記軸心及び／又は前記軸受は、一つの導電電極と連結しており；前記回転可能部材及び／又は固定フレームの極性は、前記イオン発生器の前記電離電極の極性と相反し、また、前記回転可能部材及び／又は前記固定フレームの電位は前記イオン発生器の前記電離電極の電位より低い。
【００１０】
本実用新案の上記ドライヤーにおいて、当該ドライヤーはさらに、前記気流通路中に設けられているイオン発生器を備え；前記イオン発生器は、前記回転可能部材上に設けられている電離電極を備える。
【００１１】
本実用新案の上記ドライヤーにおいて、前記電離電極は、前記ガイド羽根、前記外環又は前記回転可能中心部上に設けられている。
【００１２】
本実用新案の上記ドライヤーにおいて、当該ドライヤーはさらに、前記気流通路中に設けられ、前記回転可能部材をロックするためのロックキー機構を備える。
【００１３】
本実用新案の上記ドライヤーにおいて、前記ロックキー機構は、前記外環の外壁上に設けられている摩擦部材と、移動可能に前記摩擦部材と当接することで前記回転可能部材をロックするロックキーとを備える。
【００１４】
本実用新案の上記ドライヤーにおいて、前記ロックキー機構は、前記外環の外壁上に設けられている磁性部材と、移動可能に前記磁性部材に吸着することで前記回転可能部材をロックするロックキーとを備える。
【００１５】
本実用新案の上記ドライヤーにおいて、前記回転可能部材はさらに、前記ガイド羽根の縁に設けられ、当該ガイド羽根の回転面の接線方向に延伸するガイド片を備える。
【００１６】
本実用新案の上記ドライヤーにおいて、前記ガイド片はシリカゲル部材である。
【発明の効果】
【００１７】
本実用新案は、回転可能部材によってドライヤーの気流方向を変更させることを実現することで気流またはイオン気流の不均一、放射面も広くない問題を改善できる。本実用新案は、前記固定フレーム、前記軸受及び前記回転可能部材を導電部材とすることで、且つ、電離電極及び導電電極によってイオン気流の方向を導くことができる。また、本実用新案は、ガイド片によって、気流またはイオン気流の放射面を拡大することを実現できる。本実用新案は、構造が簡単で、且つ実用性が高い。
【図面の簡単な説明】
【００１８】
図１は本実用新案の第一実施例のドライヤーの概略図である；
図２は図１に示す回転可能部材の構造概略図である；
図３は図１に示す回転可能部材の取り付け概略図である。
図４は本実用新案の第二実施例のドライヤーの概略図である；
図５は図４に示す回転可能部材の構造概略図である；
図６は図４に示す回転可能部材の取り付け概略図である；
図７は図４に示すイオン発生器の電離電極の第一概略図である；
図８は図４に示すイオン発生器の電離電極の第二概略図である；
図９は図４に示すイオン発生器の電離電極の第三概略図である；
図１０は本実用新案の第三実施例のドライヤーの第一使用状態の参考図である；
図１１は本実用新案の第三実施例のドライヤーの第二使用状態の参考図である；
図１２は本実用新案の別の種類のロックキー機構の概略図である。
【発明の実施形態】
【００１９】
本実用新案が解決しようとする技術課題は、従来のドライヤーが提供する気流またはイオン気流は均一ではなく、その放射面も広くないことである。前記技術課題に対して、本実用新案による解決方法は以下の通りである。具体的に、回転可能部材をドライヤーの風路上に設置することで、前記回転可能部材は気流の作動下で回転でき、前記気流の方向を前記回転可能部材の作動下で変化させることができる。
【００２０】
当業者が本実用新案を理解し、且つ実施できるようにすることを目的として、添付の図面及び具体的な実施例を併用して、本実用新案の技術案及び機構について以下に詳細に説明する。
【実施例１】
【００２１】
図１を参照し、図１は、本実用新案の第一実施例のドライヤーの概略図である。
【００２２】
図１に示すように、ドライヤーは本体１を備える。前記本体１の内部には、気流通路が形成されており、前記気流通路は空気吸込口１１と空気吹出口１２を本体１に形成している。
【００２３】
ドライヤーはさらに、気流通路中に設置された電動ファン２を備える。前記電動ファン２の作動時に、空気吸込口１１によって外部の空気を取り込み、空気吹出口１２を通じて取込んだ空気を排出する。
【００２４】
ドライヤーはさらに、空気吹出口１２側に設置された回転可能部材３を備える。当該回転可能部材３は回転することで、電動ファン２の回転により形成される気流の方向を変化させる。
【００２５】
好ましくは、本実施例において、回転可能部材３は、電動ファン２の回転により形成される気流の作用の下で回転する。
【００２６】
しかしながら、その他の数例の実施例においては、回転可能部材３は、モーター駆動の下で回転する。
【００２７】
図２及び図３を参照して、図２は図１に示す回転可能部材３の構造概略図である；図３は、図１に示す回転可能部材３の取り付け概略図である。
【００２８】
また、図２及び図３に示すように、ドライヤーはさらに、気流通路中に設置されている固定フレーム４を備える。回転可能部材３を回転可能に固定フレーム４に取り付けることができる。具体的に、回転可能部材３は、固定フレーム４に設けられた軸心３１と、回転可能に軸心３１に被装されている回転可能中心部３２と、回転可能中心部３２と同軸に設けられている外環３３と、回転可能中心部３２及び外環３３を連結するガイド羽根３４とを備える。
【００２９】
ここで、ガイド羽根３４は一つであっても、複数であってもよく、回転可能部材３の回転により生み出す気流の方向を変化させるのに用いられる。
【００３０】
さらに、図３に示すように、回転可能中心部３２と軸心３１の間に軸受３５が設けられている。具体的に、軸受３５の外周は回転可能中心部３２と連結して固定されており、軸受３５の内周は軸心３１と連結して固定されている。本実施例において、軸受３５を通じて、回転可能中心部３２と軸心３１の間の摩擦を低減させる。
【００３１】
さらに、ドライヤーは、気流通路中に設置され、回転可能部材３と電動ファン２の間にある発熱部材（図示せず）を備える。当該発熱部材は、電動ファン２により気流通路中に取り込まれた空気を加熱するのに用いられる。
【００３２】
また、図１に示すように、ドライヤーはさらに、気流通路中に設置され、イオンを発生させるためのイオン発生器５を備える。当該イオン発生器５は電離電極５１を備えており、当該電離電極５１によって、回転可能部材３へイオンを発射できる。イオンを流動させられるようにするために、本実施例において、固定フレーム４、軸受３５及び回転可能部材３はいずれも導電部材である。
【００３３】
同時に、軸心３１及び／又は軸受３５は、一つの導電電極（図示せず）と連結しており、これにより回転可能部材３及び／又は固定フレーム４の極性及び／又は電位を変化させることができる。一般的に、回転可能部材３及び／又は固定フレーム４の極性は、イオン発生器５の電離電極５１の極性と相反し、また、回転可能部材３及び／又は固定フレーム４の電位はイオン発生器５の電離電極５１の電位より低い。
【実施例２】
【００３４】
図４を参照し、図４は本実用新案の第二実施例のドライヤーの概略図である。
【００３５】
図４に示すように、ドライヤーは本体１を備える。該本体１の内部には、気流通路が形成されており、前記気流通路は空気吸込口１１と空気吹出口１２を本体１に形成している。
【００３６】
また、ドライヤーは、気流通路中に設置された電動ファン２を備える。前記電動ファン２は作動の際に、空気吸込口１１によって外部の空気を取り込み、空気吹出口１２を通じて取込んだ空気を外部へ排出する。
【００３７】
ドライヤーはさらに、空気吹出口１２側に設置された回転可能部材３を備える。当該回転可能部材３は回転することで、電動ファン２の回転により形成される気流の方向を変化させる。
【００３８】
好ましくは、本実施例において、回転可能部材３は、電動ファン２の回転により形成される気流の作用の下で回転する。
【００３９】
しかしながら、その他の数例の実施例においては、回転可能部材３は、モーター駆動の下で回転する。
【００４０】
図５及び図６を参照して、図５は図４に示す回転可能部材３の構造概略図である；図６は、図４に示す回転可能部材３の取り付け概略図である。
【００４１】
また、図５及び図６に示すように、ドライヤーはさらに、気流通路中に設置されている固定を備える。回転可能部材３を回転可能に固定フレーム４に取り付けることができる。具体的に、回転可能部材３は、固定フレーム４に設けられた軸心３１と、回転可能に軸心３１に被装されている回転可能中心部３２と、回転可能中心部３２と同軸に設けられている外環３３と、回転可能中心部３２及び外環３３を連結するガイド羽根３４とを備える。
【００４２】
ここで、ガイド羽根３４は一つであっても、複数であってもよく、回転可能部材３の回転により生み出す気流の方向を変化させるのに用いられる。
【００４３】
さらに、図６に示すように、回転可能中心部３２と軸心３１の間に軸受３５が設けられている。具体的に、軸受３５の外周は回転可能中心部３２と連結し固定されており、軸受３５の内周は軸心３１と連結して固定されている。本実施例において、軸受３５を通じて、回転可能中心部３２と軸心３１の間の摩擦を低減させる。
【００４４】
さらに、ドライヤーは、気流通路中に設置され、回転可能部材３と電動ファン２の間にある発熱部材（図示せず）を備える。当該発熱部材は、電動ファン２により気流通路中に取り込まれた空気を加熱するのに用いられる。
【００４５】
図４、図７〜図９を参照し、図７は図４に示すイオン発生器の電離電極５１の第一概略図である；図８は図４に示すイオン発生器の電離電極５１の第二概略図である；図９は図４に示すイオン発生器の電離電極５１の第三概略図である。
【００４６】
また、図４に示すように、ドライヤーはさらに、気流通路中に設置され、イオンを発生させるのに用いられるイオン発生器５を備える。当該イオン発生器５は電離電極５１を備えており、当該電離電極５１は回転可能部材３に設けられている。
【００４７】
図７に示すように、電離電極５１をガイド羽根３４に設けることができる。また、図８に示すように、電離電極５１は外環３３に設けることもできる。さらに、図９に示すように、電離電極５１は回転可能中心部３２に設けることもできる。
【実施例３】
【００４８】
第一実施例又は第二実施例と比較した際、第三実施例における差異は、ドライヤーがさらにロックキー機構６を備えていることである。
【００４９】
図１０及び図１１を参照し、図１０は本実用新案の第三実施例のドライヤーの第一使用状態参考図である；図１１は本実用新案の第三実施例のドライヤーの第二使用状態参考図である。
【００５０】
また、 図１０に示すように、ドライヤーはさらに、気流通路中に設けられ、回転可能部材３をロックするのに用いられるロックキー機構６を備える。
【００５１】
図１０において、ロックキー機構６はロック解除位置にあり、この間、回転可能部材３は回転することができる。図１１において、ロックキー機構６はロック位置にあり、この間、回転可能部材３はロックされており、回転することができない。
【００５２】
本実施例において、ロックキー機構６は、外環３３の外壁に設けられた摩擦部材６２と、移動可能に当該摩擦部材６２と当接することで回転可能部材３をロックするロックキー６１とを備える。
【００５３】
好ましくは、摩擦部材６２はシリカゲル部材のような低硬度の部材からなる。当該摩擦部材６２の延伸方向は、外環３３の軸方向と平行である。
【００５４】
その他の実施例において、図１２に示すように、ロックキー機構６は、外環３３の外壁上に設けられた磁性部材６３と、移動可能に当該磁性部材に吸着することで回転可能部材３をロックするロックキー６１とを備える。
【００５５】
図１０に示すように、回転可能部材３はさらに、ガイド羽根３４の縁に設けられ、当該ガイド羽根３４の回転面の接線方向に延伸するガイド片３４１を備える。当該ガイド片３４１はシリカゲル部材である。
【産業上の利用可能性】
【００５６】
本実用新案は、回転可能部材によってドライヤーの気流方向を変化させることを実現し、以って気流またはイオン気流の不均一性、放射面が広くない問題を改善する。本実用新案では、前記固定フレーム、軸受及び回転可能部材を導電部材とすることで、且つ電離電極及び導電電極によってイオン気流の方向を導く。さらに、本実用新案では、ガイド片３４１を通じて、気流又はイオン気流の放射面を拡大することを実現している。本実用新案は、構造が簡単で、且つ、実用性が高い。
【図１】
2018509250.tif 000003
【図２】
2018509250.tif 000004
【図３】
2018509250.tif 000005
【図４】
2018509250.tif 000006
【図５】
2018509250.tif 000007
【図６】
2018509250.tif 000008
【図７】
2018509250.tif 000009
【図８】
2018509250.tif 000010
【図９】
2018509250.tif 000011
【図１０】
2018509250.tif 000012
【図１１】
2018509250.tif 000013
【図１２】
2018509250.tif 000014
【国際調査報告】
2018509250.tif 000015
2018509250.tif 000016
2018509250.tif 000017
2018509250.tif 000018